【事件の表示】
　特願２０１６−５０４９０８「車載制御装置および車載制御方法」拒絶査定不服審判事件〔平成２７年　９月　３日国際公開、ＷＯ２０１５／１２８９６０〕について、次のとおり審決する。
【結　論】
　本件審判の請求は、成り立たない。
【理　由】
第１　手続の経緯及び本願発明
１　手続の経緯
　本件出願は、２０１４年（平成２６年）２月２６日を国際出願日とする出願であって、その手続の経緯は、以下のとおりである。
　　
　平成２８年　３月　１日：手続補正
　平成２９年　５月２３日：拒絶理由の通知
　平成２９年　７月２７日：手続補正、意見書
　平成２９年１２月２０日：拒絶査定
　平成３０年　１月　９日：拒絶査定の謄本の送達
　平成３０年　３月２０日：拒絶査定不服審判の請求
 　 
２　本願発明
　本願の請求項１〜１２に係る発明は、平成２９年７月２７日付け手続補正により補正された特許請求の範囲の記載からみて、その特許請求の範囲の請求項１〜１２に記載した事項により特定されるとおりのものであるところ、請求項１に係る発明（以下「本願発明」という。）は、次のとおりのものである。
 　 
（本願発明）
（Ａ）車両に搭載された車載機器の制御を行う車載制御装置において、
（Ｂ）前記車載機器に接続された表示器に表示された複数の操作キーの情報を、前記表示器に表示された表示内容の変化に応じて動的に受信するキー情報受信部と、
（Ｃ）常に動作し、音声認識辞書を用いてユーザにより発話された音声を認識する音声認識部と、
（Ｄ）前記キー情報受信部により受信された複数の操作キーの情報と前記音声認識部による音声認識結果に基づいて、前記音声認識結果に対応する操作キーの情報がない場合にはこれに対する処理を行わずに再度、音声認識結果を待ち、前記音声認識結果に対応する操作キーの情報がある場合には前記ユーザにより発話された音声に対応する操作キーを特定する操作キー特定部と、
（Ｅ）前記操作キー特定部により特定された操作キーを選択する決定キーからの出力を受け、前記特定された操作キーに割り付けられた機能を実行するよう前記車載機器に対して指示を行う制御部と
（Ａ）を備えることを特徴とする車載制御装置。
　　
（（Ａ）〜（Ｅ）は、当審で付与した。以下各構成要件を「構成要件Ａ」〜「構成要件Ｅ」という。）
　　
第２　引用文献の記載事項及び引用文献に記載された発明
１　引用文献１
（１）引用文献１の記載事項
　原査定における拒絶の理由に引用された特開２０１０−２０４６３７号公報（以下「引用発明１」という。）には、「音声認識装置、音声認識方法、及びナビゲーション装置」（発明の名称）に関し、図面と共に次に掲げる事項が記載されている（下線は当審が付与した。）。
　　
「【０００４】
　ところで、音声認識装置としては、発話を開始することを音声認識装置に知らせるための発話開始ボタンが利用者により操作されると、音声認識のための処理を開始するように設定されたものが知られている。この音声認識装置は、利用者が音声認識装置を利用しようとする毎に発話開始ボタンを操作する必要があるため、利用者に抵抗感を抱かせてしまうおそれがあった。また、この
音声認識装置を用いたナビゲーション装置が搭載された車両
【０００５】
　このような問題を解決するために、
利用者が発した音声を常時入力して音声認識を行い、その認識結果を表示し、その後に利用者が決定操作を行うと、認識結果に基づく処理を実行する音声認識装置
　　
（２）引用文献１に記載された発明
　上記（１）によると、引用文献１には、次の発明（以下「引用発明」という。）が記載されていると認められる。
　　
（引用発明）
（ａ）車両に搭載されたナビゲーション装置における認識結果に基づく処理を実行する音声認識装置であって、
（ｂ）利用者が発した音声を常時入力して音声認識を行い、
（ｃ）その認識結果を表示し、
（ｄ）その後に利用者が決定操作を行うと、認識結果に基づく処理を実行する
（ａ）音声認識装置
　　
（（ａ）〜（ｄ）は、構成を識別するために付与した。以下各構成を「構成ａ」〜「構成ｄ」という。）
　　
２　引用文献２
（１）引用文献２の記載事項
　原査定における拒絶の理由に引用された特開２００３−２９１７５０号公報（以下「引用文献２」という。）には、「車載機器制御装置」（発明の名称）に関し、図面と共に次に掲げる事項が記載されている。
　
「【００９８】次に、
操作者が音声入力操作部３のみを入力操作に使用して、経路誘導装置に東京ディズニーランドまでの経路探索を行わせる場合
【００９９】操作者が何ら操作を行っていない状態においては、操作状態表示部１０には、図７に示すように、初期画面が表示される。
【０１００】図１６に示すステップＳ１ｂにて操作者が図２に示す発話釦２３を押下すると、図１に示す手動操作部２が音声入力開始指示情報２３ａを操作状態判断部５に出力する。
【０１０１】ステップＳ２ｂにて、操作状態判断部５が、手動操作部２から与えられた音声入力開始指示情報２３ａをメモリ５１に保存すると共に、当該音声入力開始指示情報２３ａを音声入力開始終了判断部６に出力する。
【０１０２】また、図１７に示すように、
初期操作メニュー
を操作状態表示部１０に表示する
【０１０３】次いで、図１に示す音声入力開始終了判断部６が、操作状態判断部５から与えられた音声入力開始指示情報２３ａに基づいて、手動操作部２及び音声入力操作部３をともに使用可能とすると共に、音声待ち受け単語管理部７に、待ち受け単語を用意することを要求する旨の要求情報を出力する。
【０１０４】次いで、
音声待ち受け単語管理部
音声待ち受け単語格納部８から必要な単語を取得して単語リストを作成する
【０１０５】ここで、
必要な単語は、操作状態表示部１０に表示された初期操作メニュー
に含まれる選択肢
の内容に基づいて決定される
「目的地設定」、「音楽を聞く」等
【０１０６】次いで、図１６に示すステップＳ３ｂにて、
操作者は、自分の意図した操作を実現するのに必要な選択肢を選択し、当該選択肢に対応する音声情報を
音声入力操作部３にて入力する
【０１０７】本実施の形態では、経路誘導装置に東京ディズニーランドまでの経路探索を行わせるので、操作者は、図１に示す音声入力操作部３にて「目的地設定」という音声情報を入力する。
【０１０８】
音声入力操作部３にて入力された音声情報は、
音声認識実行部４が、当該音声情報を分析して内容を認識し、当該音声情報の内容と、
作成された単語リストに含まれる単語と、のマッチング処理を行う
【０１０９】次いで、
マッチング度が所定値以上の単語がある場合には、単語選択情報を操作状態判断部５に出力する
マッチング度が所定値以上の単語がない場合には、マッチング度が所定値以上の単語がない旨の単語選択情報を操作状態判断部５に出力する
【０１１０】本実施の形態では、マッチング度が所定値以上の単語として、「目的地設定」という単語を選択し、
マッチング度が所定値以上の単語として「目的地設定」という単語がある旨の単語選択情報を操作状態判断部５に出力する
【０１１１】次いで、
操作状態判断部５が、当該単語選択情報に基づいて、「目的地設定」という単語について単語確定処理を行い、
「目的地設定」という単語に対応する機器別操作メニュー１０ｃを操作状態表示部１０に表示する
【０１１２】次いで、図１６に示すステップＳ４ｂにて、図１に示す操作状態判断部５は、メモリ５１に保存されている音声入力開始指示情報２３ａを音声入力開始終了判断部６に出力する。
【０１１３】また、図１８に示すように、アイコン１０ａとアイコン１０ｈとを操作状態表示部１０に表示する一方で、音声ガイド出力部９にて、音声入力をサポートする音声を出力する。
【０１１４】次いで、図１に示す音声入力開始終了判断部６が、操作状態判断部５から与えられた音声入力開始指示情報２３ａに基づいて、手動操作部２及び音声入力操作部３をともに使用可能とすると共に、音声待ち受け単語管理部７に、待ち受け単語を用意することを要求する旨の要求情報を出力する。
【０１１５】次いで、音声待ち受け単語管理部７が、音声入力開始終了判断部６から与えられた要求情報に基づいて、
音声待ち受け単語格納部８から必要な単語を取得して単語リストを作成する
【０１１６】
ここで、必要な単語は、操作状態表示部１０に表示された機器別操作メニュー１０ｃに含まれる選択肢
の内容に基づいて決定される
【０１１７】次いで、図１６に示すステップＳ５ｂにて、
操作者は、
音声入力操作部３にて「施設から選ぶ」という音声情報を入力する
【０１１８】次いで、
音声認識実行部
が、
同様に、音声入力操作部３にて入力された音声情報を分析して内容を認識し、マッチング処理を行う
【０１１９】
次いで、マッチング度が所定値以上の単語がある場合には、単語選択情報を操作状態判断部５に出力する
マッチング度が所定値以上の単語がない場合には、マッチング度が所定値以上の単語がない旨の単語選択情報を操作状態判断部５に出力する
【０１２０】本実施の形態では、マッチング度が所定値以上の単語として、「施設から選ぶ」を選択し、
マッチング度が所定値以上の
単語がある旨の単語選択情報を操作状態判断部５に出力する
【０１２１】次いで、
操作状態判断部５が、当該単語選択情報に基づいて、
単語確定処理を行う。
【０１２２】次いで、ステップＳ６ｂにて、操作状態判断部５は、ステップＳ４ｂと同様に、メモリ５１に保存されている音声入力開始情報２３ａを音声入力開始終了判断部６に出力する。
【０１２３】また、図１９に示すように、アイコン１０ａとアイコン１０ｈとを図１に示す操作状態表示部１０に表示する一方で、音声ガイド出力部９にて、音声入力をサポートする音声（例えば、「施設名をお話し下さい。」等の音声）を出力する。
【０１２４】次いで、音声入力開始終了判断部６が、操作状態判断部５から与えられた音声入力開始指示情報２３ａに基づいて、手動操作部２及び音声入力操作部３をともに使用可能とすると共に、音声待ち受け単語管理部７に、待ち受け単語を用意することを要求する旨の要求情報を出力する。
【０１２５】次いで、音声待ち受け単語管理部７が、音声入力開始終了判断部６から与えられた要求情報に基づいて、音声待ち受け単語格納部８から必要な単語として具体的な施設名（例えば、「東京ディズニーランド」や「海ほたる」等）を取得して単語リストを作成する。
【０１２６】次いで、ステップＳ７ｂにて、操作者は、ステップＳ３ｂと同様に、図１に示す音声入力操作部３にて「東京ディズニーランド」という内容の音声情報を入力する。
【０１２７】次いで、音声認識実行部４が、ステップＳ３ｂと同様に、音声入力操作部３にて入力された音声情報を分析して内容を認識し、マッチング処理を行う。
【０１２８】次いで、マッチング度が所定値以上の単語がある場合には、単語選択情報を操作状態判断部５に出力する。なお、マッチング度が所定値以上の単語がない場合には、マッチング度が所定値以上の単語がない旨の単語選択情報を操作状態判断部５に出力する。
【０１２９】本実施の形態では、マッチング度が所定値以上の単語として、「東京ディズニーランド」という単語を選択し、マッチング度が所定値以上の単語として「東京ディズニーランド」という単語がある旨の単語選択情報を操作状態判断部５に出力する。
【０１３０】次いで、操作状態判断部５が、ステップＳ３ｂと同様に、当該単語選択情報に基づいて、単語確定処理を行い、図２０に示すように、「東京ディズニーランド」という単語が操作者により選択された旨の情報を操作状態表示部１０に表示する。
【０１３１】ここで、手動操作部２のみを入力操作に使用した場合のように、施設のジャンルに関する機器別操作メニュー１０ｄ及び施設の所在地に関する機器別操作メニュー１０ｅ（図１１及び図１２参照）を操作状態表示部１０に表示することなく、操作者に目的地を特定させることとしたが、これは以下の理由による。
【０１３２】即ち、図１に示す音声待ち受け単語管理部７は、単語リストに多数の単語を含めることができるので、音声待ち受け単語格納部８に保存されている全てのジャンルの施設名及び全国に存在する施設名を単語リストに含めることができる。
【０１３３】したがって、機器別操作メニュー１０ｄ及び機器別操作メニュー１０ｅを操作状態表示部１０に表示して、操作者に施設ジャンル及び所在地の絞り込みを行わせる必要がない。
【０１３４】これにより、機器別操作メニュー１０ｄ及び機器別操作メニュー１０ｅを操作状態表示部１０に表示することなく、操作者に目的地を特定させることとした。
【０１３５】次いで、図１６に示すステップＳ８ｂにて、図１に示す操作状態判断部５は、ステップＳ３ｂと同様に、単語確定処理を行うと共に、東京ディズニーランド周辺の地図情報を操作状態表示部１０に表示することを要求する旨の地図情報表示要求情報を、経路誘導装置を制御するシステムコントローラ１１ａ（図１参照）に出力すると共に、図２１に示すように、
機器別操作メニュー１０ｇを表示する
【０１３６】次いで、図１に示すシステムコントローラ１１ａは、操作状態判断部５から与えられた地図情報表示要求情報を経路誘導装置に出力し、経路誘導装置は、当該地図情報表示要求情報に基づいて、図２１に示すように、東京ディズニーランド周辺の地図情報を操作状態表示部１０に表示する。
【０１３７】次いで、図１６に示すステップＳ９ｂにて、操作状態判断部５が、ステップＳ４ｂと同様に、メモリ５１に保存されている音声入力開始指示情報２３ａを音声入力開始終了判断部６に出力する。
【０１３８】また、図２１に示すように、アイコン１０ａとアイコン１０ｈとを操作状態表示部１０に表示する一方で、音声ガイド出力部９にて、音声入力をサポートする音声情報（例えば、「メニューをお選び下さい。」等の音声情報）を出力する。
【０１３９】次いで、図１に示す音声入力開始終了判断部６が、操作状態判断部５から与えられた音声入力開始指示情報２３ａに基づいて、手動操作部２及び音声入力操作部３をともに使用可能とすると共に、音声待ち受け単語管理部７に、待ち受け単語を用意することを要求する旨の要求情報を出力する。
【０１４０】次いで、
音声待ち受け単語管理部７が
音声待ち受け単語格納部８から必要な単語（「目的地設定」や「地点登録」等）を取得して単語リストを作成する
【０１４１】次いで、ステップＳ１０ｂにて、
操作者は、
声入力操作部３にて「目的地」という音声情報を入力する。
【０１４２】次いで、
音声認識実行部４が、
音声入力操作部３にて入力された音声情報を分析して内容を認識し、マッチング処理を行う
【０１４３】次いで、
マッチング度が所定値以上の単語がある場合には、単語選択情報を操作状態判断部５に出力する。
マッチング度が所定値以上の単語がない場合には、マッチング度が所定値以上の単語がない旨の単語選択情報を操作状態判断部５に出力する。
【０１４４】本実施の形態では、
マッチング度が所定値以上の単語として、「目的地」を選択し、マッチング度が所定値以上の単語として「目的地」という単語がある旨の単語選択情報を操作状態判断部５に出力する
【０１４５】次いで、
操作状態判断部５が、当該単語選択情報に基づいて、目的地（即ち東京ディズニーランド）までの経路探索を行うことを要求する旨の経路探索要求情報をシステムコントローラ１１ａに出力する
【０１４６】次いで、ステップＳ１１ｂにて、システムコントローラ１１ａは、操作状態判断部５から与えられた経路探索要求情報を経路誘導装置に出力し、
経路誘導装置は、当該経路探索要求情報に基づいて、東京ディズニーランドまでの経路探索を行い、ステップＳ１２ｂにて、探索結果を操作状態表示部１０に表示する
【０１４７】
なお、上記ステップＳ３ｂ、ステップＳ５ｂ、ステップＳ７ｂ、及びステップＳ１０ｂのそれぞれにおいて、図１に示す
操作状態判断部５が
マッチング度が所定値以上の単語がないと判断した場合には、
操作者に再度の音声入力を促すガイド音声情報を出力する
　　
「【図１７】
」
「【図１８】
」
「【図１９】
」
「【図２１】
」
　　
（２）引用文献２に記載された発明
　引用文献２に記載された「車載機器制御装置」は、
　初期操作メニューを操作状態表示部に表示し（段落【０１０２】）、
　音声待ち受け単語管理部は、操作状態表示部に表示された初期操作メニューに含まれる選択肢（図１７を参照）の内容に基づいて、音声待ち受け単語格納部から必要な単語（「目的地設定」、「音楽を聞く」等）を取得して単語リストを作成し（段落【０１０４】、【０１０５】）、
　操作者は、自分の意図した操作を実現するのに必要な選択肢を選択し、当該選択肢に対応する音声情報（「目的地」）を音声入力操作部にて入力し（段落【０１０６】）、
　音声入力操作部３にて入力された音声情報は、音声認識実行部が、当該音声情報を分析して内容を認識し、当該音声情報の内容と、作成された単語リストに含まれる単語とのマッチング処理を行い（段落【０１０８】）、
　マッチング度が所定値以上の単語がある場合には、単語選択情報を操作状態判断部に出力し（段落【０１０９】、【０１１０】）、
　操作状態判断部が、当該単語選択情報に基づいて、単語確定処理を行い、当該単語（「目的地」）に対応する機器別操作メニューを操作状態表示部に表示する（段落【０１１１】）。ここで、機器別操作メニューを操作状態表示部に表示することは、自分の意図した操作を実現することである。
　また、マッチング度が所定値以上の単語がない場合には、マッチング度が所定値以上の単語がない旨の単語選択情報を操作状態判断部に出力し（段落【０１０９】）、操作状態判断部が操作者に再度の音声入力を促すガイド音声情報を出力する（段落【０１４７】）。
　　
　以上によると、引用文献２に記載された「車載機器制御装置」は、
　表示部に表示された初期メニューに含まれる選択肢の内容に基づいて、音声待ち受け単語格納部から必要な単語を取得して単語リストを作成する音声待ち受け単語管理部と、
　操作者が自分の意図した操作を実現するのに必要な選択肢として入力した音声情報を分析して内容を認識し、作成された単語リストに含まれる単語とマッチング処理を行う音声認識部と、
　前記音声認識部は、マッチング度が所定値以上の単語がある場合には、単語選択情報を操作状態判断部に出力し、マッチング度が所定値以上の単語がない場合には、マッチング度が所定値以上の単語がない旨の単語選択情報を操作状態判断部に出力し、
　前記単語選択情報に基づいて、マッチング度が所定値以上の単語がある場合、単語確定処理を行い、当該単語に対応する操作を実現し、マッチング度が所定値以上の単語がない場合には、操作者に再度の音声入力を促すガイド音声情報を出力する操作状態判断部と
　を備える。
　　
　さらに、引用文献２に記載された「車載機器制御装置」は、段落【０１１１】〜【０１２３】に記載のとおり、上記初期メニューの選択肢の選択と同様、機器別操作メニュー１０ｃに含まれる選択肢に対応する音声情報を入力することで選択し、自分の意図した操作を実現することが記載されている。
　また、引用文献２に記載された「車載機器制御装置」は、段落【０１３５】〜【０１４６】に記載のとおり、上記初期メニューの選択肢の選択と同様、機器別操作メニュー１０ｇに含まれる選択肢に対応する音声情報を入力することで選択し、自分の意図した操作を実現することが記載されている。
　
　以上によると、引用文献２に記載された「車載機器制御装置」においては、「メニュー」として、「初期メニュー」、「機器別操作メニュー１０ｃ」、「機器別操作メニュー１０ｇ」があり、それぞれのメニューに含まれる選択肢の内容に基づいて、それぞれの単語リストが生成されるものと認められる。
　
　以上まとめると、引用文献２には、次の発明（以下「引用文献２発明」という。）が記載されていると認められる。
　　
（引用文献２発明）
（２ａ）表示部に表示されたそれぞれのメニューに含まれる選択肢の内容に基づいて、音声待ち受け単語格納部から必要な単語を取得してそれぞれの単語リストを作成する音声待ち受け単語管理部と、
（２ｂ）操作者が自分の意図した操作を実現するのに必要な選択肢として入力した音声情報を分析して内容を認識し、作成された単語リストに含まれる単語とマッチング処理を行う音声認識部と、
（２ｃ）前記音声認識部は、マッチング度が所定値以上の単語がある場合には、単語選択情報を操作状態判断部に出力し、マッチング度が所定値以上の単語がない場合には、マッチング度が所定値以上の単語がない旨の単語選択情報を操作状態判断部に出力し、
（２ｄ）前記単語選択情報に基づいて、マッチング度が所定値以上の単語がある場合、単語確定処理を行い、当該単語に対応する操作を実現し、マッチング度が所定値以上の単語がない場合には、操作者に再度の音声入力を促すガイド音声情報を出力する操作状態判断部と
（２ｅ）を備える車載機器制御装置。
　　
（（２ａ）〜（２ｅ）は、構成を識別するために付与した。以下各構成を「構成２ａ」〜「構成２ｅ」という。）
　　
第３　対比
１　対比
　本願発明と引用発明とを対比する。
（１）構成要件Ａと構成ａ、ｄとを対比する。
　構成ａの「車両に搭載されたナビゲーション装置」は、構成要件Ａの「車両に搭載された車載機器」といえる。そして、構成ａ及びｄの「音声認識装置」は、当該ナビゲーション装置に対して認識結果に基づく処理を実行するから、ナビゲーション装置を制御する装置であることは明らかである。
　したがって、構成要件Ａと構成ａ、ｄとは、「車両に搭載された車載機器の制御を行う車載制御装置」として一致する。
　　
（２）構成要件Ｂについて
　引用発明は構成要件Ｂを備えておらず、本願発明と相違する。
　　
（３）構成要件Ｃと構成ｂとを対比する。
　音声認識は、音声認識辞書を用いて行うものであるから、構成ｂは、「常に動作し、音声認識辞書を用いてユーザにより発話された音声を認識する音声認識部」として、構成要件Ｃと一致する。
　　
（４）構成要件Ｄについて
　引用発明は構成要件Ｄを備えておらず、本願発明と相違する。
　　
（５）構成要件Ｅと構成ｃ、ｄとを対比する。
　引用発明は、「認識結果を表示し、その後に利用者が決定操作を行うと、認識結果に基づく処理を実行する」ものであり、実行する処理の対象はナビゲーション装置である。
　利用者が決定操作を行うことは、「決定キーからの出力を受け」に対応し、ナビゲーション装置に対する処理は、「機能を実現するように前記車載機器に対して指示を行う」ものといえる。また、引用発明には、このような処理を行う制御部があるといえる。
　したがって、構成要件Ｅと構成ｃ、ｄとは、「決定キーからの出力を受け、機能を実行するよう前記車載機器に対して指示を行う制御部」として共通する。
　しかしながら、「決定キーからの出力」が、本願発明においては、「前記操作キー特定部により特定された操作キーを選択する」決定キーからの出力であるのに対し、引用発明においては、「前記操作キー特定部により特定された操作キーを選択する」決定キーからの出力ではなく、「機能」が、本願発明においては、「前記特定された操作キーに割り付けられた」機能であるのに対し、引用発明においては、「前記特定された操作キーに割り付けられた」機能ではない点で相違する。
　　
２　一致点、相違点
　以上によると、一致点、相違点は次のとおりである。
　　
（一致点）
　車両に搭載された車載機器の制御を行う車載制御装置において、
　常に動作し、音声認識辞書を用いてユーザにより発話された音声を認識する音声認識部と、
　決定キーからの出力を受け、機能を実行するよう前記車載機器に対して指示を行う制御部と
　を備えることを特徴とする車載制御装置。　
　　
（相違点）
　本願発明は、
「前記車載機器に接続された表示器に表示された複数の操作キーの情報を、前記表示器に表示された表示内容の変化に応じて動的に受信するキー情報受信部」、
「前記キー情報受信部により受信された複数の操作キーの情報と前記音声認識部による音声認識結果に基づいて、前記音声認識結果に対応する操作キーの情報がない場合にはこれに対する処理を行わずに再度、音声認識結果を待ち、前記音声認識結果に対応する操作キーの情報がある場合には前記ユーザにより発話された音声に対応する操作キーを特定する操作キー特定部」
を備え、
　「決定キー」が、「前記操作キー特定部により特定された操作キーを選択する」決定キーであり、「機能」が「前記特定された操作キーに割り付けられた」機能であるのに対し、
　引用発明は、当該「キー情報受信部」、当該「キー操作特定部」を備えておらず、
　それに伴い、「決定キー」が、「前記操作キー特定部により特定された操作キーを選択する」決定キーではなく、「機能」が「前記特定された操作キーに割り付けられた」機能ではない点
　　
第４　判断
　引用文献２には、上記引用文献２発明が記載されている。
　引用文献２発明は、音声認識を用いた車載機器制御装置であって、引用発明と同じ技術分野の発明であるから、引用発明に引用文献２発明を適用する動機付けはあるといえる。
　引用文献２発明の構成２ａの「単語」は、「メニューに含まれる選択肢の内容に基づいて」取得されるから、構成Ｂの「操作キーの情報」に相当する。
　引用文献２発明の構成２ａによると、表示部に表示される「メニュー」は複数あり、メニュー毎に音声待ち受け単語格納部から必要な単語を取得して「単語リスト」を作成する。当該メニューは、それぞれ表示されるものであるから、「単語リスト」は「前記表示器に表示された表示内容の変化に応じて動的に」作成されるといえる。
　そして、引用文献２発明の構成２ａによると、「単語リスト」は、「音声待ち受け単語格納部から必要な単語を取得して」作成するから、「音声待ち受け単語管理部」は、「単語」、すなわち「操作キーの情報」を受信するといえ、「キー情報受信部」を備えているといえる。
　したがって、引用文献２発明は「前記車載機器に接続された表示器に表示された複数の操作キーの情報を、前記表示器に表示された表示内容の変化に応じて動的に受信するキー情報受信部」を備えているといえる。
　また、引用文献２発明の構成２ｂ、２ｃ、２ｄによると、入力した音声情報を分析して内容を認識し、作成した単語リストに含まれる単語とマッチング処理を行い、マッチング度が所定以上の単語がある場合には、当該単語に対応する操作を実現し、マッチング度が所定以上の単語がない場合には、操作者に再度の音声入力を促すガイド音声情報を出力するものであるから、引用文献２発明の「操作状態判断部」は、引用発明の「操作キー特定部」に相当する。
　
　したがって、引用発明に引用文献２発明を適用して、引用発明に「キー情報受信部」、「操作キー特定部」を備えることは、当業者が容易に想到し得るものである。
　そして、引用発明に「キー情報受信部」、「操作キー特定部」を備えたものは、「決定キー」が、「前記操作キー特定部により特定された操作キーを選択する」決定キーとなり、「機能」が「前記特定された操作キーに割り付けられた」機能となる。
　　
　また、本願発明が奏する効果は、その容易想到である構成から当業者が容易に予測し得る範囲内のものであり、同範囲を超える顕著なものでもない。
　　
　よって、本願発明は、引用発明及び引用文献２発明に基づいて、当業者が容易になし得たものである。
　　
第５　むすび
　以上のとおり、本願の請求項１に係る発明は、引用文献１に記載された発明、引用文献２に記載された発明に基づいて当業者が容易に発明をすることができたものであるから、特許法２９条２項の規定により特許を受けることができない。 
　　
　したがって、本願は、他の請求項について検討するまでもなく、拒絶すべきものである。
　　
　よって、結論のとおり審決する。